(57)【要約】      （修正有）【課題】雑誌広告の中に企業や店舗のホームページアドレスと固定電話の２次元バーコード識別情報を埋め込むことにより、簡単にアクセスを可能とする。【解決手段】雑誌広告の中に企業や店舗のホームページアドレスと固定電話の情報を埋め込むことにより、接写というアクションが、移動通信体または企業、店舗、家庭内に設置されるIPフォン、TV電話、固定パソコン等に働きかけ、情報にアクセスすることが可能となるが、大容量のためアクセス不能（読み込めない）の場合には、補完テキスト、簡素なHTML小画面に付くパスワードにより素早いアクセスと確認を促す。【選択図】図１
2005148776.tif 000002
【特許請求の範囲】
【請求項１】
クライアントの要望によって、例えば、電話番号、ホームページ等にリンクするデータが含まれた2次元バーコード識別情報を広告に配置し、これをカメラ付き携帯電話で接写することによってパソコン上のホームページや固定電話・IP電話の電話番号に繋がるように構成する情報リンク・移動対応型商業広告と分別情報シールであり、これらを通して、メールアドレスを収集しつつ新規の仕事、例えば知的財産権への喚起を促す企業格付け監査ホームページ等に誘導する携帯情報リンク商業広告とその制御によるビジネスの方法。
【請求項２】
前記2次元バーコード識別情報をページものの印刷インクの濃度による認識の差を補正するために企業・店舗の営業内容の告知を目的とする経済誌、あるいは、移動時、顧客に、手軽にカメラ付き携帯から、旅館、ホテル周辺の観光情報を告知するのを目的とする旅行誌等に配置する場合に、編集段階で、2次元バーコード印刷用データの上または、下にスペース付きの位置に確認用ホームページアドレス、固定電話番号を配置し、大きなホームページを携帯電話で、読み込めないことに備えて、簡素なHTMLで構成された子画面のアドレスを広告し、それを挟むことで制御するのは、請求項１記載の２つのホームページアドレスと固定電話番号の主力情報が、印刷物からの接写により持ち歩くモバイル機器やIPフォン機能もあるTV電話と連動したことを確認するためであるのと同時に、個人や法人の顧客からの要望を満足させ、かつ営業不振な部署のデータベースに、新しい仕事が、アクセス不能の時に供給されるシステムに成りうる請求項１記載の携帯情報リンク商業広告とその制御によるビジネスの方法。
【発明の詳細な説明】
【技術分野】
【０００１】
この発明は、雑誌広告等により企業、店舗、旅館、観光ホテル、周辺施設・環境の情報公開に繋がる携帯情報リンク・移動対応型商業広告の配置、また、機種の違いや印刷濃度のページごとの違いを補完するためのテキスト（ホームページアドレス、固定電話・IPフォン等の電話番号）をスペース付きで上下、または反対側に配すことと、分別情報シールから、移動通信体のカメラ接写による速効性あるアクセスで、目的の情報に飛ぶことと、容量上のアクセス不可の場合をHTMLで構成された子画面で、分別することにより、アクセス代行が喚起され、経費節約、仕事の需要、従業員の雇用継続を目的とするビジネスモデルとなることに関する。
【背景技術】
【０００２】
従来の商業広告の形態は、接写できないホームページアドレスが、英数字で示されるの
みであり、年配者には、パソコンや携帯電話にアドレスが、打ち込みにくい、さらに、家を離れた旅行時、もしもの、災害時には、必要な情報にアクセスする時、手打ち入力では焦ってしまいアクセスに時間を要する。また、青年層においても、出張時、取引先等の資料等を出先で検索しなければならない場合、何画面も、目的の画面に進むまでに手打ちでは間違いも多く、高額の携帯用インターネット接続料が、発生する。また、ホームページや、パンフレットをたどって、大きな企業の電話番号までたどりついたとしても、機械的な声の案内で、本部の担当者が、電話に出るまでに一時間かけても無理なこともある。
【発明の開示】
【発明が解決しようとする課題】
【０００３】
以上の技術によれば、カメラがついた携帯電話やパソコン、IPフォン、TV電話に写されるものは、ダウンロード検索時間・料金もかかる画像や文字であり、盗撮が、社会的問題となっている。
この発明は、逆説的に、目立つ有益な情報を音も発生するホームページへ、２次元バーコードから驚きと共にリンクすることで、移動通信体と印刷物のメディアミックスが実現され、印刷物の衰退が発展に繋がり、商業広告が情報に接近しやすくなったことを、読者に認識してもらうことを最初は、想定していた。しかし、2次元バーコード以外の接写や入力によってもいったいどれだけの携帯電話からパソコンのホームページが読み込めるかと実験してみた場合、容量が大きすぎて途中で、住所入力、特に郵便番号による判別でストップしてしまうホームページが多い。
これでは、止まるページの前まで入力するのにかかった分の接続料金を高く払ってしまうことになりかねないと同時に、クレームが発生すれば、制作企業だけまた新たな発注を受け儲かってしまう。そこで、このインターネット接続上の盲点（大画面から小画面、大容量から小容量の機種では、受信が対応できないこともある）が、アクセス時、発生した場合、仕事が減っているコールセンター、地方銀行、信託銀行（金融システム系のデータベースを持つ）に、即時対応を、個人や法人が、分別情報化されたメールや電話から要望することで、仕事が、増え、リストラされない、つまり上記の機関に勤務する人達の雇用継続を促進させうる役割を担うビジネスモデルに成りうることを課題とする。
【課題を解決するための手段】
【０００４】
以上の課題を解決するために、第一発明は、広告にわかりやすいホームページアドレス
と固定電話番号という２つの情報が開示されるよう制作した2次元バーコードを配置した
ことを特徴とする情報リンク型商業広告（アクセス不可時の制御対応に簡素なHTMLで構成された子画面アドレスをスペース上に併記する：詳しくは、第二発明）と認識情報分別シール（目的の担当に直接、繋がるように他人が見てもわからない記号化された電話番号、メールを入れたものを個別に必要数のみ、接写しやすいスペースと汚れを防ぐラミネート加工を前提とした上で印刷する。）である。
また、第二発明は、一冊２００ページ以上に渡り、発行部数が数万部である雑誌のペー
ジ印刷濃度が、濃い状態から薄い状態になった場合、カメラによる2次元データの接写、認識にエラーが出た時を想定し、他機種や人間の目でも対応できるよう、視覚的に上下または、反対側に製作者が手打ちしたホームページアドレス、固定電話番号、メールアドレス等のテキスト表示（業績が低下しているが、金融システム等のデータベースを持ち、こうした仕事が入ることにより、従業員の雇用継続が見込まれる事業所に即時代行を対応していただくことが目的、使用方法としては、HTML子画面に表示される人間が覚えやすい７桁の数字をパスワードとして伝えることで、アクセス数を制御）を設け、素早いアクセスと確認を促し、メールアドレスを収集しながら（実際のインターネットを通じた情報提供の継続的アプローチを後で展開するため）、個人や法人が知りたい企業格付けホームページへ誘導する。
【発明の効果】
【０００５】
第一発明、または第二発明によれば、2次元バーコードとテキストの配置を設けたので、読者サイドでも制作サイドでもクライアントとの了承やコミュニケーションがとりやすく、観光や出張で、他地域に移動している時にも軽い携帯電話で、２次元バーコードを写すだけで、関連情報を読み取ることも、また、接写できる機種がない状態でも、付属する上下スペース付きまたは、反対側に配置された確認用ホームページアドレスや固定電話番号情報で補完されるので、わかりやすく、アクセス時間の短縮になり、アクセス不能の時は、アクセス数の少ない営業不振な事業所への新しい仕事が受注され、（仕事完了時、元アドレスの会社から資金が、投入される。）継続雇用促進対策にもなる。
【発明を実施するための最良の形態】
【０００６】
この発明の一実施形態を、図１,図２及び図３に示す実施例に従って説明する。
【実施例１】
【０００７】
図において、情報リンク型商業広告の本体３は基本的にはモノクロであり、右ページに掲載される場合は、この本体１の右側にホームページアドレスと固定電話番号という２つのデータを含む2次元バーコードが、配置され、左側に確認ホームページアドレスが配置される。本は、見開きの時、中心部の影がカメラに影響を与えるので、中心より７ｃｍ以上離した上の配置を心がけ、左ページに掲載される場合には、右の対称型が望ましく、雑誌１の裏表紙前１ページにカタログのように複数配置する場合は、13、14の子画面で制御しやすいようにメール情報を登録すれば特典があるというキャッチコピーを10に載せ、機種により接写できない場合に備えて子画面にメールでアクセス可能とし、14に表示される広告媒体英数コード、地域限定コードにより、アクセス数を制限しながら、空いている回線やデータベースを持つコールセンター、地方銀行、信託銀行がITに関する運用の評価にこのアクセス数を反映させるということ前提として、資金を運用して中小企業への格付け支援をしながらアクセスする個人法人の意見も反映されるランキングのページへ案内するという携帯情報リンク商業広告とその制御によるビジネスの方法。
【０００８】
図２は、携帯情報リンク商業広告3であり、２次元バーコードには、接写により表示されるホームページアドレスと固定電話番号データが含まれている。
【０００９】
図３は、大画面対応のホームページを読みこむ時の受信制御用の子画面とそのプログラム例13であり以下の通りである。
図１より拡大13（大容量ホームページ制御用子画面アルケミスト）のHTMLである。
<html>
<head>
<title>アルケミスト</title>
<meta http-equiv="Content-Type" content="text/html; charset=Shift_JIS">
</head>
<body bgcolor="#FFFFFF" text="#000000">
<p>[アルケミスト:錬金術師F1］<br>
・即時アクセス<br>
子画面に<br>
飛びますか？[<a href="Akei-yChikiH.htm">Y</a>/N]<br>
・空メールを [Y/N]<br>
送信しますか？<br>
PASS：１２３４５６７<br>
広告媒体英数コード：KAN<br>
地域情報限定コード：H </p>
</body>
</html>
【産業上の利用可能性】
【００１０】
経済的に商業広告納品業者は、業界平均約２ヶ月間、制作費の回収を待たなければならな
い、その間かかった企業・店舗への取材、制作経費を持たせられなくなり、事業を縮小ま
たは、廃業を迫られる者が増加している昨今、情報リンク・移動対応型商業広告を納品し
た業者は、クライアントから、１ヵ月ごとに問い合わせ代行も請負い、代行料を受け取る
事も可能である。また、リンクされた携帯サイトを活性化させるためにも更新を請負い、付加サービスとして、2次元バーコード商業広告・シールによりデータの大きさ、情報の内容により分別すれば、通信回線への素早い選択とアクセスに関わる統合したサービスをISPや通信業者に代わって、印刷用版下データを供給することで代理でき、印刷業者が生き残るための新たなビジネスモデルを創出することも可能である。
【図面の簡単な説明】
【００１１】
【図１】この発明の一実施形態を示す平面図である。
【図２】図１の３の部分拡大図である。
【図３】図１の１３の部分拡大図である。
【符号の説明】
【００１２】
１  媒体（雑誌）          
２  名刺                            
３  情報リンク・移動対応型商業広告
４  右ページ掲載用情報リンク・移動対応型配置
５  左ページ掲載用情報リンク・移動対応型配置
６  カメラ付き携帯電話
７  接写結果
８  情報リンク・移動対応型分別シール
９  従来広告
１０  ２次元バーコードと補完テキスト、画像等の集約カタログページ
１１  企業・店舗のある地区の写真      
１２  クロスワード業界情報、業界用語
１３  アクセス不能を制御する子画面アルケミスト表示例（簡素化認識情報）      
１４  受信時大容量を制御する子画面アルケミスト表示例（簡素化地域制御）      
１５  知的財産権を所有する企業公開監査ホームページ      
【図１】
2005148776.tif 000003
【図２】
2005148776.tif 000004
【図３】
2005148776.tif 000005